(57)【要約】【課題】電動送風機の振動の性質変化に柔軟に対応して防振を図る一方、掃除機本体の小型化、軽量化を並列的に成立させる電気掃除機を提案する。【解決手段】電気掃除機１は、掃除機本体２の略上下方向へ延びる回転軸７１、回転軸７１に設けられる遠心ファン部７２、回転軸７１に設けられて遠心ファン部７２を駆動させるモータ部７３、および回転軸７１の延長線上に遠心ファン部７２に通じる吸気口７５が開口される筒形状の遠心ファンカバー７６を有して掃除機本体２内に収容される電動送風機８と、遠心ファンカバー７６の周囲に巻かれる環状の弾性部材８１と、弾性部材８１の周囲の一部に接し、残部を回避して掃除機本体２に電動送風機８を弾性的に支持させる保持枠体８２と、を備えている。【選択図】  図７
2015066123.tif 000002
【特許請求の範囲】
【請求項１】
掃除機本体と、
前記掃除機本体の略上下方向へ延びる回転軸、前記回転軸に設けられる遠心ファン部、前記回転軸に設けられて前記遠心ファン部を駆動させるモータ部、および前記回転軸の延長線上に前記遠心ファン部に通じる吸気口が開口される筒形状の遠心ファンカバーを有して前記掃除機本体内に収容される電動送風機と、
前記遠心ファンカバーの周囲に巻かれる環状の弾性部材と、
前記弾性部材の周囲の一部に接し、残部を回避して前記掃除機本体に前記電動送風機を弾性的に支持させる保持枠体と、を備える電気掃除機。
【請求項２】
前記保持枠体は、前記弾性部材を回避する残部に開口される重量軽減口を有する請求項１に記載の電気掃除機。
【請求項３】
前記保持枠体は、前記重量軽減口を窓状に区画して環状に繋がり、前記電動送風機の吸気口に近い側に配置される環状枠部を備える請求項２に記載の電気掃除機。
【請求項４】
前記弾性部材は、前記重量軽減口を閉じて空気の流通を妨げる請求項２または３に記載の電気掃除機。
【発明の詳細な説明】
【技術分野】
【０００１】
本発明に係る実施形態は、電気掃除機に関する。
【背景技術】
【０００２】
従来、コイルバネで掃除機本体内に電動送風機や、電動送風機を収容する電動送風機ケースを浮動支持する電気掃除機が知られている。
【先行技術文献】
【特許文献】
【０００３】
【特許文献１】特開２０１１−２４５１４１号公報
【発明の概要】
【発明が解決しようとする課題】
【０００４】
近年、非力な女性にとって取り回しや、持ち運びが容易で操作性の高い小型、軽量の電気掃除機が好まれる傾向にある。しかし、従来の電気掃除機は、電動送風機や、電動送風機ケースをコイルバネで浮動支持していたため、掃除機本体の小型化、軽量化には限界があった。
【０００５】
一方、掃除機本体を単純に小型化、軽量化することは、電動送風機が発生させる振動を絶縁する観点において不利になる。
【０００６】
また、掃除機本体の小型化、軽量化を目指す上で、電動送風機の小型化も必要になる。電動送風機の小型化を図りつつ、相応の吸込力を維持するためには電動送風機の高回転化が必要になる。そして、電動送風機の小型化、高回転化は、従来の大型で低回転な電動送風機に比べて電動送風機の振動の性質を大きく変える。
【０００７】
そこで、本発明は、電動送風機の振動の性質変化に柔軟に対応して防振を図る一方、掃除機本体の小型化、軽量化を並列的に成立させる電気掃除機を提案する。
【課題を解決するための手段】
【０００８】
前記の課題を解決するため本発明に係る電気掃除機は、掃除機本体と、前記掃除機本体の略上下方向へ延びる回転軸、前記回転軸に設けられる遠心ファン部、前記回転軸に設けられて前記遠心ファン部を駆動させるモータ部、および前記回転軸の延長線上に前記遠心ファン部に通じる吸気口が開口される筒形状の遠心ファンカバーを有して前記掃除機本体内に収容される電動送風機と、前記遠心ファンカバーの周囲に巻かれる環状の弾性部材と、前記弾性部材の周囲の一部に接し、残部を回避して前記掃除機本体に前記電動送風機を弾性的に支持させる保持枠体と、を備えている。
【図面の簡単な説明】
【０００９】
【図１】本発明の実施形態に係る電気掃除機の外観を示す斜視図。
【図２】本発明の実施形態に係る電気掃除機の掃除機本体を左斜め前から示す斜視図。
【図３】本発明の実施形態に係る電気掃除機の掃除機本体から塵埃分離集塵装置を取り外して左斜め前から示す斜視図。
【図４】本発明の実施形態に係る電気掃除機の掃除機本体から塵埃分離集塵装置および外装を取り外して左斜め前から示す斜視図。
【図５】本発明の実施形態に係る電気掃除機の掃除機本体から塵埃分離集塵装置、外装、および内ケースを取り外して左斜め前から示す斜視図。
【図６】本発明の実施形態に係る電気掃除機の掃除機本体から塵埃分離集塵装置、外装、内ケース、コードリール、および電動送風機よりも上流側の風路を区画する各種部材を取り外して左斜め前から示す斜視図。
【図７】図６に示す掃除機本体の分解斜視図。
【図８】本発明の実施形態に係る電気掃除機の掃除機本体を示す平面図。
【図９】本発明の実施形態に係る電気掃除機の掃除機本体を示す断面図。
【図１０】本発明の実施形態に係る電気掃除機の電動送風機ケース下半体の他の例を示す斜視図。
【図１１】本発明の実施形態に係る電気掃除機の電動送風機ケース下半体の他の例を示す平面図。
【図１２】本発明の実施形態に係る電気掃除機の電動送風機ケース下半体の他の例を示す断面図。
【発明を実施するための形態】
【００１０】
本発明に係る電気掃除機の実施形態について図１から図１２を参照して説明する。
【００１１】
図１は、本発明の実施形態に係る電気掃除機の外観を示す斜視図である。
【００１２】
図１に示すように、本実施形態に係る電気掃除機１は、いわゆるキャニスタ型の電気掃除機である。電気掃除機１は、被掃除面上を走行可能な掃除機本体２と、掃除機本体２に着脱自在な管部３と、を備える。掃除機本体２と管部３とは、流体的に接続されている。
【００１３】
掃除機本体２は、本体ケース５と、本体ケース５の左右両側方にそれぞれ設けられている一対の車輪６と、本体ケース５の前半部に配置されている着脱自在な塵埃分離集塵装置７と、本体ケース５の後半部に収納されている電動送風機８と、主に電動送風機８を制御する本体制御部９と、電動送風機８へ電力を導く電源コード１１と、を備えている。
【００１４】
掃除機本体２は、電源コード１１を経て供給される電力で電動送風機８を駆動させて、電動送風機８の駆動によって発生する負圧を管部３に作用させている。電気掃除機１は、管部３を通じて被掃除面から塵埃を含んだ空気（以下、「含塵空気」と呼ぶ。）を吸い込み、含塵空気から塵埃を分離し、分離後の塵埃を捕集し、蓄積するとともに分離後の空気を排気する。
【００１５】
本体ケース５の正面部分には、本体接続口１２が設けられている。本体接続口１２は、掃除機本体２の流体的な入口であり、管部３と塵埃分離集塵装置７とを流体的に接続している。
【００１６】
車輪６は、大径の走行輪であり、掃除機本体２を支えている。
【００１７】
塵埃分離集塵装置７は、遠心分離方式で掃除機本体２に流れ込む含塵空気から塵埃を分離し、捕集し、蓄積する一方で、塵埃が除去された清浄な空気を電動送風機８へ送る。
【００１８】
電動送風機８は、塵埃分離集塵装置７から空気を吸い込んで負圧（吸込負圧）を発生させる。
【００１９】
本体制御部９は、マイクロプロセッサ（図示省略）、およびマイクロプロセッサが実行する各種演算プログラム、パラメータなどを記憶する記憶装置（図示省略）を備える。記憶装置には、予め設定される複数の運転モードが記憶されている。予め設定される複数の運転モードは、管部３で受け付けられる使用者の操作に対応している。それぞれの運転モードには、相互に異なる入力値（電動送風機８の入力値）が設定されている。本体制御部９は、管部３で受け付けられる使用者の操作に応じて、その操作内容に対応する任意の運転モードを予め設定される複数の運転モードから択一的に選択して記憶部から読み出し、読み出した運転モードにしたがって電動送風機８を制御する。
【００２０】
電源コード１１は、配線用差込接続器（図示省略、所謂コンセント）から掃除機本体２へ電力を供給する。電源コード１１の自由端部には、差込プラグ１４が設けられている。
【００２１】
管部３は、掃除機本体２から作用する負圧によって、被掃除面から含塵空気を吸い込み掃除機本体２へ案内する。管部３は、掃除機本体２に着脱自在に接続されている継手としての接続管１９と、接続管１９に流体的に接続されている集塵ホース２１と、集塵ホース２１に流体的に接続されている手元操作管２２と、手元操作管２２から突出している把持部２３と、把持部２３に設けられている操作部２４と、手元操作管２２に着脱自在に接続されている延長管２５と、延長管２５に着脱自在に接続されている吸込口体２６と、を備えている。
【００２２】
接続管１９は、本体接続口１２へ着脱自在に接続される継手であり、本体接続口１２を通じて塵埃分離集塵装置７に流体的に接続されている。
【００２３】
集塵ホース２１は、長尺で可撓な略円筒形状のホースである。集塵ホース２１の一方の端部（ここでは、後方の端部）は、接続管１９に流体的に接続されている。集塵ホース２１は、接続管１９を通じて塵埃分離集塵装置７に流体的に接続されている。
【００２４】
手元操作管２２は、集塵ホース２１と延長管２５とを中継している。手元操作管２２の一方の端部（ここでは、後方の端部）は、集塵ホース２１の他方の端部（ここでは、前方の端部）に流体的に接続されている。手元操作管２２は、集塵ホース２１および接続管１９を通じて塵埃分離集塵装置７に流体的に接続されている。
【００２５】
把持部２３は、電気掃除機１を操作するために使用者が手で把持する部分である。把持部２３は、使用者が手で容易に把持できる適宜の形状で手元操作管２２から突出している。
【００２６】
操作部２４は、それぞれの運転モードに対応付けられるスイッチを備えている。具体的には、操作部２４は、電動送風機８の運転停止操作に対応付けられる停止スイッチ２４ａと、電動送風機８の運転開始操作に対応付けられる起動スイッチ２４ｂと、吸込口体２６への電源供給に対応付けられるブラシスイッチ２４ｃと、を備えている。停止スイッチ２４ａおよび起動スイッチ２４ｂは、本体制御部９に電気的に接続されている。電気掃除機１の使用者は、操作部２４を操作して電動送風機８の運転モードを択一的に選択できる。起動スイッチ２４ｂは、電動送風機８の運転中に、運転モードの選択スイッチとしても機能している。この場合、本体制御部９は、起動スイッチ２４ｂから操作信号を受け取る度に運転モードを強→中→弱→強→中→弱→………の順に切り換える。なお、操作部２４は、起動スイッチ２４ｂに代えて、強運転スイッチ（図示省略）、中運転スイッチ（図示省略）、および弱運転スイッチ（図示省略）を個別に備えていても良い。
【００２７】
複数の筒状体を重ね合わせたテレスコピック構造の延長管２５は、伸縮可能な細長略円筒状の管である。延長管２５の一方の端部（ここでは、後方の端部）には、手元操作管２２の他方の端部（ここでは、前方の端部）に着脱自在な継手構造が設けられている。延長管２５は、手元操作管２２、集塵ホース２１および接続管１９を通じて塵埃分離集塵装置７に流体的に接続されている。
【００２８】
吸込口体２６は、木床やカーペットなどの被掃除面上を走行自在または滑走自在であり、走行状態または滑走状態において被掃除面に対向する底面に吸込口２８を有する。また、吸込口体２６は、吸込口２８に配置されている回転自在な回転清掃体２９と、回転清掃体２９を駆動させる電動機３１と、を備えている。吸込口体２６の一方の端部（ここでは、後方の端部）には、延長管２５の他方の端部（ここでは、前方の端部）に着脱自在な継手構造が設けられている。吸込口体２６は、延長管２５、手元操作管２２、集塵ホース２１および接続管１９を通じて塵埃分離集塵装置７に流体的に接続されている。つまり、吸込口体２６、延長管２５、手元操作管２２、集塵ホース２１、接続管１９、および塵埃分離集塵装置７は、電動送風機８から吸込口２８へ至る吸込風路である。電動機３１は、ブラシスイッチ２４ｃから操作信号を受け取る度に運転開始と停止とを交互に繰り返す。
【００２９】
電気掃除機１は、起動スイッチ２４ｂに対する使用者の操作を受け付けると電動送風機８を始動させる。例えば、電気掃除機１は、電動送風機８が停止している状態で起動スイッチ２４ｂに対する操作を受け付けると、先ず電動送風機８を強運転モードで運転し、再び起動スイッチ２４ｂに対する操作を受け付けると電動送風機８を中運転モードで運転し、三度、起動スイッチ２４ｂに対する操作を受け付けると電動送風機８を弱運転モードで運転し、以下同様に繰り返す。強運転モード、中運転モードおよび弱運転モードは、予め設定される複数の運転モードであり、強運転モード、中運転モード、弱運転モードの順に電動送風機８に対する入力値が小さい。始動した電動送風機８は、塵埃分離集塵装置７から空気を排気してその内部を負圧にする。
【００３０】
塵埃分離集塵装置７内の負圧は、本体接続口１２、接続管１９、集塵ホース２１、手元操作管２２、延長管２５、および吸込口体２６を順次に通じて吸込口２８に作用する。電気掃除機１は、吸込口２８に作用した負圧によって、被掃除面上の塵埃を空気とともに吸い込んで被掃除面を掃除する。塵埃分離集塵装置７は、電気掃除機１に吸い込まれた含塵空気から塵埃を分離し、蓄積する一方で、含塵空気から分離した空気を電動送風機８へ送る。電動送風機８は、塵埃分離集塵装置７から吸い込んだ空気を掃除機本体２外へ排気する。
【００３１】
次に掃除機本体について詳細に説明する。
【００３２】
図２は、本発明の実施形態に係る電気掃除機の掃除機本体を左斜め前から示す斜視図である。
【００３３】
図３は、本発明の実施形態に係る電気掃除機の掃除機本体から塵埃分離集塵装置を取り外して左斜め前から示す斜視図である。
【００３４】
図４は、本発明の実施形態に係る電気掃除機の掃除機本体から塵埃分離集塵装置および外装を取り外して左斜め前から示す斜視図である。
【００３５】
図５は、本発明の実施形態に係る電気掃除機の掃除機本体から塵埃分離集塵装置、外装、および内ケースを取り外して左斜め前から示す斜視図である。
【００３６】
図６は、本発明の実施形態に係る電気掃除機の掃除機本体から塵埃分離集塵装置、外装、内ケース、コードリール、および電動送風機よりも上流側の風路を区画する各種部材を取り外して左斜め前から示す斜視図である。
【００３７】
図７は、図６に示す掃除機本体の分解斜視図である。
【００３８】
図８は、本発明の実施形態に係る電気掃除機の掃除機本体を示す平面図である。
【００３９】
図９は、図８のＩＸ−ＩＸ線において、本発明の実施形態に係る電気掃除機の掃除機本体を示す断面図である。
【００４０】
図２から図９に示すように、本実施形態に係る電気掃除機１の掃除機本体２は、塵埃分離集塵装置７をやや後方へ傾けた姿勢で着脱自在に保持している。掃除機本体２の上下方向は、水平な被掃除面に掃除機本体２を置いた場合の鉛直方向である。
【００４１】
ここで先ず、遠心分離方式の塵埃分離集塵装置７は、含塵空気から繊維ゴミや、粒度の大きい砂粒などの粗塵を空気から遠心分離する第一分離室４１と、第一分離室４１で分離された粗塵を蓄積する集塵室４２と、第一分離室４１から粗塵の分離された空気を取り出す案内管４３と、案内管４３に接続されて粗塵の分離された空気から粒度の細かい粉状の細塵を空気から遠心分離する第二分離室４５と、第二分離室４５から細塵の分離された空気を取り出し、本体ケース５へ排気する排気管４６と、を備えている。
【００４２】
他方、本体ケース５は、接続管１９と塵埃分離集塵装置７との間を流体的に接続する第一中継管５１と、塵埃分離集塵装置７と電動送風機８との間を流体的に接続する第二中継管５２と、第二中継管５２と電動送風機８との間に設けられる濾過フィルタ５３と、を備えている。本体ケース５の正面壁５ａには、第一中継管５１の出口５５、および第二中継管５２の入口５６が配置されている。
【００４３】
本体ケース５の第一中継管５１は、接続管１９に流れ込む含塵空気を塵埃分離集塵装置７へ案内する。塵埃分離集塵装置７の第一分離室４１は、含塵空気から粗塵を分離する。集塵室４２は、分離された粗塵を蓄積し、案内管４３は、分離された空気を第二分離室４５へ案内する。第二分離室４５は、空気から細塵を分離し、第一分離室４１および集塵室４２の外殻を兼ねる塵埃カップ５７へ廃棄する。排気管４６は、細塵の分離された清浄な空気を本体ケース５へ送り出す。本体ケース５の第二中継管５２は、清浄な空気を濾過フィルタ５３へ送り、濾過フィルタ５３は、清浄な空気に混入する微細塵を濾過して捕捉し、極めて清浄な空気を電動送風機８へ送る。
【００４４】
本体ケース５内には、電動送風機８を収容する電動送風機ケース５８が設けられている。電動送風機ケース５８は、本体ケース５の右側に偏倚されている。電動送風機ケース５８の左隣には、電源コード１１を巻き取るコードリール５９が設けられている。本体ケース５は、シャーシとしての下ケース６１と、下ケース６１に覆い被さって第一中継管５１、第二中継管５２、電動送風機ケース５８、およびコードリール５９を収容する内ケース６２と、内ケース６２と協働して掃除機本体２の後端部を覆う後ケース６３と、内ケース６２に覆い被さって掃除機本体２の意匠面の大部分を占める外装６５と、を備えている。
【００４５】
内ケース６２は、電動送風機８を電動送風機ケース５８ごと収容し、電動送風機８の排気が流通する排気風路６７を区画している。また、内ケース６２は、その大部分を外装６５に覆い隠されている一方で、その後端部を掃除機本体２の後端部に露出させている。
【００４６】
そして、掃除機本体２内に収容される電動送風機８は、掃除機本体２の略上下方向へ延びる回転軸７１と、回転軸７１に設けられる遠心ファン部７２と、回転軸７１に設けられて遠心ファン部７２を駆動させるモータ部７３と、回転軸７１の延長線上に遠心ファン部７２に通じる吸気口７５が開口される筒形状の遠心ファンカバー７６と、を備えている。
【００４７】
また、掃除機本体２は、電動送風機８の遠心ファンカバー７６の周囲に巻かれる環状の弾性部材８１と、弾性部材８１の周囲の一部に接し、残部を回避、つまり非接触にして掃除機本体２に電動送風機８を弾性的に支持させる保持枠体８２と、を備えている。
【００４８】
遠心ファンカバー７６は、一方の端部を塞ぐ底壁７６ａを有し、他方の端部を開放されるカップ形状を有する。底壁７６ａの中央には、吸気口７５が開口されている。開放端側はモータ部７３に接続されて塞がれている。
【００４９】
他方、モータ部７３の下端には、排気口７７が設けられている、排気口７７は、電動送風機８が吸気口７５から吸い込んだ空気の出口である。
【００５０】
電動送風機ケース５８は、電動送風機８の遠心ファンカバー７６を下方側から支えてモータ部７３を収容する電動送風機ケース下半体８３と、電動送風機８の遠心ファン部７２および遠心ファンカバー７６の大部分を収容して電動送風機ケース下半体８３に覆い被さる電動送風機ケース上半体８５と、を備えている。電動送風機ケース上半体８５は、濾過フィルタ５３着脱自在に保持するフィルタ保持枠８６を一体に備えている。電動送風機ケース下半体８３の正面には、本体制御部９が保持されて、排気風路６７中に配置されている。
【００５１】
弾性部材８１は、例えば発泡ゴムの成形品であり、遠心ファンカバー７６の開放端側に巻き付けられている。弾性部材８１は、遠心ファンカバー７６の円形の側壁７６ｂに倣い、径方向に薄い第一環状部８７と、遠心ファンカバー７６の円形の開放端に倣い、第一環状部８７の内周面に設けられて中心線方向に薄い第二環状部８８と、を備えている。第一環状部８７は、遠心ファンカバー７６の径方向を弾性的に支える。第二環状部８８は、遠心ファンカバー７６の上下方向を弾性的に支える。
【００５２】
保持枠体８２は、電動送風機ケース５８に一体化され、電動送風機ケース下半体８３の開口端に配置されている。保持枠体８２は、弾性部材８１を回避する残部に開口される重量軽減口８９を複数、有している。重量軽減口８９は、電動送風機ケース５８、ひいては掃除機本体２の重量軽減に寄与すると同時に、弾性部材８１と保持枠体８２との接触面積を減少させている。複数の重量軽減口８９は、整然と整列していても良いし、不等間隔に疎らに分散していても良い。弾性部材８１と保持枠体８２との接触面積の減少は、電動送風機８の振動による荷重によって弾性部材８１を圧縮させる際の面圧を高め、ひいては弾性部材８１を部分的に大きく変形させることに繋がり、つまり電動送風機８を柔らかく支持することに繋がる。
【００５３】
また、保持枠体８２は、重量軽減口８９を窓状に区画して環状に繋がる環状枠部９１を備えている。環状枠部９１は、重量軽減口８９よりも電動送風機８の吸気口７５に近い側、本実施形態においては重量軽減口８９の上側に配置されている。環状枠部９１は、保持枠体８２の開口端を環状に連続させることによって、電動送風機８が回転軸７１を中心に遠心ファン部７２を首振り運動のように振り回される振動モードに対する確実な保持を図る。
【００５４】
弾性部材８１は、重量軽減口８９を閉じて空気の流通を妨げている一方で、保持枠体８２と電動送風機８との間に挟まれる部位で電動送風機８の振動が本体ケース５に伝わることを防いでいる。
【００５５】
ところで、電動送風機８と本体ケース５との間にコイルバネを設けたり、電動送風機８を収容する電動送風機ケース５８と電動送風機８との間にコイルバネを設けたりした従来の電気掃除機は、コイルバネの素線径や、コイル径などを調整することで所要のバネ定数を設定できる一方で、防振構造の小型化、軽量化に限界があった。
【００５６】
他方、電動送風機８と本体ケース５との間に防振ゴムを一様に挟み込んだり、電動送風機８を収容する電動送風機ケース５８と電動送風機８との間に防振ゴムを一様に挟み込んだりする場合は、挟み込まれる防振ゴムの厚さによって電動送風機８を支持する柔らかさが一意的に決まってしまう。
【００５７】
そこで、本実施形態に係る電気掃除機１は、弾性部材８１の周囲の一部に接し、残部を回避、つまり非接触にして掃除機本体２に電動送風機８を弾性的に支持させる保持枠体８２によって、電動送風機８の支持に寄与する弾性部材８１の範囲を狭め、接触部分と回避部分（換言すれば、非接触部分）との比率調整を通じてコイルバネの防振構造のように電動送風機８を支持する柔らかさを調整する。
【００５８】
また、弾性部材８１による防振の効果は、保持枠体８２に占める重量軽減口８９の開口率に依存するとともに、電動送風機８の固有振動数にも依存する。したがって、弾性部材８１による防振の効果は、弾性部材８１の厚み、および保持枠体８２に占める重量軽減口８９の開口率を電動送風機８の固有振動数に対して適宜に設定することで、大型で低回転な電動送風機８であっても、小型で高回転な電動送風機８であっても効果を奏することができる。他方、弾性部材８１の厚みが薄くなる、つまり電動送風機８と保持枠体８２との隙間を狭くするほど、コイルバネを用いる従来の防振構造では隙間に設置可能なコイルバネの設計的な成立が困難になり、防振ゴムを一様に挟み込んだ従来の防振構造では電動送風機８を支持する柔らかさを意図的に変化させ難い。
【００５９】
ところで、電動送風機８は、掃除機本体２の上方へ向けて吸気口７５を開口させている。電動送風機８を駆動させると、吸気口７５は、減圧されて負圧になる。この電動送風機８の吸い込み負圧は、電動送風機８自体を上方へ引き上げ、電動送風機８の上方に配置される濾過フィルタ５３へと電動送風機８を近づける。この吸い込み負圧による推進力は、電動送風機８を上方から吊り下げる。この電動送風機８の吊り下げ状態では、弾性部材８１および保持枠体８２は、電動送風機８の径方向および周方向の運動を保持することになり、特に径方向に働く振動による変位に追従して電動送風機８を保持する。つまり、保持枠体８２は、電動送風機８の駆動時には、弾性部材８１の周囲の一部に接し、残部を回避して前記掃除機本体に電動送風機８の径方向を弾性的に支持させている。
【００６０】
他方、電動送風機８の非駆動時には、推進力を失った電動送風機８が重力によって掃除機本体２の下方へ下がるため、弾性部材８１および保持枠体８２は、遠心ファンカバー７６の下縁部に接して、電動送風機８を下からも保持している。
【００６１】
また、電動送風機ケース５８は、コードリール５９に対面する左側面５８ａに複数の排気口９８、９９を有する。排気口９８、９９から流出する空気は、コードリール５９に巻き付けられる電源コード１１を空冷する冷却風としても機能し、内ケース６２および後ケース６３の内側に吹き出す。内ケース６２および後ケース６３の内側に吹き出した空気は、内ケース６２の後端部に開口される本体排気口９２から掃除機本体２外へ排気される。つまり、内ケース６２および後ケース６３の内側は、電動送風機８の排気が流通する排気風路６７である。
【００６２】
排気口９８は、複数の開口を有する開口群であり、電動送風機ケース下半体８３の左側面８３ａに配置されている。排気口９９も、複数の開口を有する開口群であり、電動送風機ケース上半体８５の左側面８５ａに配置されている。
【００６３】
図１０は、本発明の実施形態に係る電気掃除機の電動送風機ケース下半体の他の例を示す斜視図である。
【００６４】
図１１は、本発明の実施形態に係る電気掃除機の電動送風機ケース下半体の他の例を示す平面図である。
【００６５】
図１２は、図１１のＸＩＩ−ＸＩＩ線において、本発明の実施形態に係る電気掃除機の電動送風機ケース下半体の他の例を示す断面図である。
【００６６】
図１０から図１２に示すように、本実施形態に係る電気掃除機１の電動送風機ケース下半体８３Ａは、弾性部材８１の周囲の一部に接し、残部を回避して掃除機本体２に電動送風機８を弾性的に支持させる保持枠体８２Ａを備えている。
【００６７】
保持枠体８２Ａは、電動送風機ケース５８Ａに一体化され、電動送風機ケース下半体８３Ａの開口端に配置されている。保持枠体８２Ａは、弾性部材８１の周囲の一部に接する複数の凸部９５を備えている。凸部９５は、弾性部材８１と保持枠体８２Ａとの接触面積を減少させている。複数の凸部９５は、整然と整列していても良いし、不等間隔に疎らに分散していても良い。凸部９５は、保持枠体８２の重量軽減口８９に比べて金型による成形性を高めやすい。
【００６８】
弾性部材８１と保持枠体８２Ａとの接触面積の減少は、電動送風機８の振動による荷重によって弾性部材８１を圧縮させる際の面圧を高め、ひいては弾性部材８１を部分的に大きく変形させることに繋がり、つまり電動送風機８を柔らかく支持することに繋がる。
【００６９】
本実施形態に係る電気掃除機１は、保持枠体８２、８２Ａと弾性部材８１とを部分的に接触させることによって、電動送風機８を柔らかく支持し、電動送風機８の振動による変位に追従して掃除機本体２への振動の伝達を減じる。このことは、相対的に薄い弾性部材８１による振動変位の吸収をより容易にして、電動送風機８の小型化に伴う高回転化、そして高回転化に伴う振動の性質の変化に対する対応を可能にしつつ、掃除機本体の小型化、軽量化に寄与する。
【００７０】
また、本実施形態に係る電気掃除機１は、保持枠体８２と弾性部材８１とを部分的に接触させるために重量軽減口８９を備えることによって、電動送風機８を柔らかく支持しつつ、掃除機本体２の重量軽減を図る。
【００７１】
さらに、本実施形態に係る電気掃除機１は、保持枠体８２に環状枠部９１を備えることによって、弾性部材８１による振動の吸収を図りつつ、電動送風機８の確実な保持を図る。
【００７２】
さらにまた、本実施形態に係る電気掃除機１は、重量軽減口８９を弾性部材８１で閉じることによって、電動送風機８の排気の風路を別途、整然と定めて排気による騒音の対策を確実に施すことができる。
【００７３】
なお、本実施形態に係る電気掃除機１は、弾性部材８１の厚み、および保持枠体８２に占める重量軽減口８９の開口率を電動送風機８の固有振動数に対して適宜に設定することで、大型で低回転な電動送風機８であっても、小型で高回転な電動送風機８であっても十分な防振効果を発揮できる。
【００７４】
したがって、本実施形態に係る電気掃除機１によれば、電動送風機の振動の性質変化に柔軟に対応して防振を図る一方、掃除機本体２の小型化、軽量化を並列的に成立できる。
【００７５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７６】
１  電気掃除機
２  掃除機本体
３  管部
５  本体ケース
５ａ  正面壁
６  車輪
７  塵埃分離集塵装置
８  電動送風機
９  本体制御部
１１  電源コード
１２  本体接続口
１４  差込プラグ
１９  接続管
２１  集塵ホース
２２  手元操作管
２３  把持部
２４  操作部
２４ａ  停止スイッチ
２４ｂ  起動スイッチ
２４ｃ  ブラシスイッチ
２５  延長管
２６  吸込口体
２８  吸込口
２９  回転清掃体
３１  電動機
４１  第一分離室
４２  集塵室
４３  案内管
４５  第二分離室
４６  排気管
５１  第一中継管
５２  第二中継管
５３  濾過フィルタ
５５  出口
５６  入口
５７  塵埃カップ
５８、５８Ａ  電動送風機ケース
５９  コードリール
６１  下ケース
６２  内ケース
６３  後ケース
６５  外装
６７  排気風路
７１  回転軸
７２  遠心ファン部
７３  モータ部
７５  吸気口
７６  遠心ファンカバー
７６ａ  底壁
７６ｂ  側壁
７７  排気口
８１  弾性部材
８２、８２Ａ  保持枠体
８３、８３Ａ  電動送風機ケース下半体
８３ａ  左側面
８５  電動送風機ケース上半体
８５ａ  左側面
８６  フィルタ保持枠
８７  第一環状部
８８  第二環状部
８９  重量軽減口
９１  環状枠部
９２  本体排気口
９５  凸部
９８、９９  排気口
【図１】
2015066123.tif 000003
【図２】
2015066123.tif 000004
【図３】
2015066123.tif 000005
【図４】
2015066123.tif 000006
【図５】
2015066123.tif 000007
【図６】
2015066123.tif 000008
【図７】
2015066123.tif 000009
【図８】
2015066123.tif 000010
【図９】
2015066123.tif 000011
【図１０】
2015066123.tif 000012
【図１１】
2015066123.tif 000013
【図１２】
2015066123.tif 000014